(57)【要約】【課題】バリエーションの多い機種のリモートコントローラをバリエーションの少ない機種の室内機に向けて操作した時に、対応する風向板を制御する情報が室内機に存在しない場合、風向板が制御されない。【解決手段】本発明による空気調和機は、リモートコントローラ受信部へ信号を送信する室内機送信部と、リモートコントローラ送信部からの信号を受信する室内機受信部と、室内に吹出す気流を偏向する風向板と、複数のエリアに対応して予め決められた位置に風向板を向ける風向板制御情報と、を有す室内機と、を備え、室内機受信部が受信した信号が風向板制御情報の何れかに対応する場合は、室内機受信部が受信した信号に対応した風向板制御情報に基づいて風向板を制御し、室内機受信部が受信した信号が風向板制御情報の何れにも対応しない場合は、室内機受信部が受信した信号を予め対応付けられた風向板制御情報に読み換えて風向板を制御する。【選択図】  図８
2012107838.tif 000002
【特許請求の範囲】
【請求項１】
リモートコントローラ送信部と、リモートコントローラ受信部と、を有すリモートコントローラと、
前記リモートコントローラ受信部へ信号を送信する室内機送信部と、前記リモートコントローラ送信部からの信号を受信する室内機受信部と、室内に吹出す気流を偏向する風向板と、複数のエリアに対応して予め決められた位置に前記風向板を向ける風向板制御情報と、を有す室内機と、を備え、
前記室内機受信部が受信した信号が前記風向板制御情報の何れかに対応する場合は、前記室内機受信部が受信した信号に対応した前記風向板制御情報に基づいて前記風向板を制御し、
前記室内機受信部が受信した信号が前記風向板制御情報の何れにも対応しない場合は、前記室内機受信部が受信した信号を予め対応付けられた前記風向板制御情報に読み換えて前記風向板を制御することを特徴とする空気調和機。
【請求項２】
前記室内機受信部が受信した前記リモートコントローラ送信部からの信号が前記風向板制御情報の何れにも対応しない場合は、
前記室内機受信部が受信した信号が前記風向板を左方向に制御する信号である場合は、前記風向板を左方向に制御する前記風向板制御情報に読み換えて前記風向板を制御し、
前記室内機受信部が受信した信号が前記風向板を右方向に制御する信号である場合は、前記風向板を右方向に制御する前記風向板制御情報に読み換えて前記風向板を制御することを特徴とする請求項１に記載の空気調和機。
【請求項３】
前記室内機受信部が受信した前記リモートコントローラ送信部からの信号が前記風向板制御情報の何れにも対応しない場合は、前記風向板を中央方向に制御する前記風向板制御情報に読み換えて前記風向板を制御することを特徴とする請求項１に記載の空気調和機。
【発明の詳細な説明】
【技術分野】
【０００１】
本発明は、異なるリモートコントローラでも風向板を制御できる機能を備えた空気調和機に関する。
【背景技術】
【０００２】
特許文献１は、マイコンを用いて、ステッピングモータを駆動して風向制御を行う空気調和機の制御方式として、リモートコントローラの操作により、複数の風向制御の中から、ユーザの好みに応じた風向制御を選択可能とすることで、より快適な居住空間を提供する空気調和機を開示している。
【先行技術文献】
【特許文献】
【０００３】
【特許文献１】特開２０１０−１９７０２０号公報
【発明の概要】
【発明が解決しようとする課題】
【０００４】
しかしながら、特許文献１は、バリエーションの多い機種のリモートコントローラをバリエーションの少ない機種の室内機に向けて操作する場合において、リモートコントローラによってユーザの好みに応じて風向制御を行っても、対応する風向板を制御する情報が室内機に存在しない場合、風向板が制御されない課題を有していた。
【０００５】
本発明の目的は、バリエーションの多い機種のリモートコントローラをバリエーションの少ない機種の室内機に向けて操作した時、バリエーションの少ない機種に対応する風向制御がない場合においても、風向を制御することである。
【課題を解決するための手段】
【０００６】
上記、課題を解決するため、本発明による空気調和機は、リモートコントローラ送信部と、リモートコントローラ受信部と、を有すリモートコントローラと、リモートコントローラ受信部へ信号を送信する室内機送信部と、リモートコントローラ送信部からの信号を受信する室内機受信部と、室内に吹出す気流を偏向する風向板と、複数のエリアに対応して予め決められた位置に風向板を向ける複数の風向板制御情報と、を有す室内機と、を備え、室内機受信部が受信した信号が風向板制御情報の何れかに対応する場合は、室内機受信部が受信した信号に対応した風向板制御情報に基づいて風向板を制御し、室内機受信部が受信した信号が風向板制御情報の何れにも対応しない場合は、室内機受信部が受信した信号を読み換えることで対応する風向板制御情報に基づいて風向板を制御する。
【発明の効果】
【０００７】
本発明によれば、バリエーションの多い機種のリモートコントローラをバリエーションの少ない機種の室内機に向けて操作した時、バリエーションの少ない機種に対応する風向制御がない場合においても、風向を制御することができる。
【図面の簡単な説明】
【０００８】
【図１】空気調和機の概観図。
【図２】空気調和機の室内機の側断面図。
【図３】リモコン及び室内機のシステム構成を示す図。
【図４】リモコン及び室内機のシステム構成を示す図。
【図５】風向制御のバリエーションの多い機種の風向制御の種類を示す模式図。
【図６】風向制御のバリエーションの少ない機種の風向制御の種類を示す模式図。
【図７】仕様範囲外コード受信時に最寄りのコードへ読み替を行う模式図。
【図８】風向制御情報読替制御の処理手順を示すフローチャート。
【発明を実施するための形態】
【０００９】
以下に本発明の実施例を詳細に説明する。
【実施例１】
【００１０】
図１は本発明の実施形態に係る空気調和機で、運転を停止して風向板を閉じた時の外観図である。図２は空気調和機１の室内機２で、運転を開始して風向板を開いた時の側断面図である。
【００１１】
図１に示す空気調和機は、室内機２と室外機３とを接続配管で繋いで構成され、室内を空気調和する。図２に示すように、室内機２には、熱交換器４が設けられ、熱交換器４の下流側に熱交換器４の幅と略等しい長さの横流ファン方式の室内送風ファン５が配置されている。熱交換器４及び室内送風ファン５は化粧枠４６で覆われ、化粧枠４６の前面にフロントパネル４１が取り付けられて構成されている。
【００１２】
また、この化粧枠４６には、室内空気を吸込む空気吸込み口４２と、温湿度が調整された空気を吹出す空気吹出し口４３とが上下に設けられている。熱交換器４の下流に設けられた室内送風ファン５が回転することで、室内空気は、室内機２に設けられた空気吸込み口４２から熱交換器４，室内送風ファン５を通って室内送風ファン５の長さに略等しい幅を持つ吹出し風路に流れ、吹出し風路の途中に配した左右風向板４４で気流の左右方向が偏向され、また、空気吹出し口に配した上下風向板４５で気流の上下方向が偏向されて室内に吹出される。
【００１３】
図３は空気調和機のシステム構成を示す図である。図４は空気調和機のシステム構成を示す図である。図５は風向制御のバリエーションの多い機種の風向制御の種類を示す模式図である。図６は風向制御のバリエーションの少ない機種の風向制御の種類を示す模式図である。図７は、風向制御のバリエーションの多い機種のリモートコントローラ（以下「リモコン」という。）で、風向制御のバリエーションの少ない機種の室内機を操作する場合、室内機のリモコン信号受信処理において仕様範囲外のコードを受信時に、最寄りの風向制御に置き換えて制御する風向制御情報の読み替え内容を示す模式図である。図８は風向制御情報読替手段の処理手順を示すフローチャートである。
【００１４】
まず、図３を用いて、本発明の空気調和機の一実施例のシステム構成を示す。リモコン１には、マイコン１１が搭載されており、風向制御等の制御内容の切り替え情報をキー入力部１２で取り込み、取り込んだ情報をデータ編集部１３で編集し、編集した結果をＬＣＤ出力部１４で表示するとともに、室内機に向けて、送信出力部１５より送信出力する。室内機２にも、マイコン２１が搭載されており、リモコン１の送信出力部１５より送信された信号を、受信入力部２２で受信し、データ編集部２３で編集し、編集した結果に基づき、運転の開始，停止，運転モード，風速モード，圧縮機の回転数の変更等の空調制御２４を行うとともに、リモコン１のキー入力部１２により、選択した風向制御の切り替え情報をもとに、風向出力２５を行う。
【００１５】
次に、図４を用いて説明する。リモコン１には、複数の風向制御の中からユーザが好みの風向制御を選択可能とする風向制御切替キー入力手段３１と、風向制御設定状態をＬＣＤ等に表示可能とする風向制御設定状態表示手段３２と、風向制御切替キー入力手段３１により設定した風向制御情報等の送信データを作成する送信データ作成手段３３と、送信データ作成手段により作成された送信データを室内機に送信するリモコン信号送信手段３４を設ける。室内機２には、リモコン１より送信されたリモコン信号を受信するためのリモコン信号受信手段３５と、リモコンからの受信データを解析する受信データ解析手段３６と、受信データ中の風向制御情報に従い風向板を制御する風向出力制御手段３８と、受信データ中の風向制御情報が正規のリモコンでは設定できない仕様範囲外の情報であった場合に、最寄りの制御情報に読み替えて動作を可能とする風向制御情報読替手段３７とを設けることで課題を解決する。
【００１６】
次に、図５は、風向制御のバリエーションの多い機種の風向制御の種類を示す模式図である。実線で囲まれた最左５１，左中間５２，中央５３，右中間５４、及び、最右５５の５種類のコードは、バリエーションの少ない機種と共通のコードであり、点線で囲まれた最左＋左中間５６，左中間＋中央５７，中央＋右中間５８，最右＋右中間５９，ワイド６０，中央＋最左６１、及び、中央＋最右６２の風向制御のバリエーションの多い機種でしか設定できない７種類のコードと合わせた全１２種類の設定が可能である。
【００１７】
同様に、図６は、風向制御のバリエーションの少ない機種の風向制御の種類を示す模式図である。実線で囲まれた最左５１，左中間５２，中央５３，右中間５４，最右５５の５種類のコードのみが該当する。
【００１８】
そして、図７は、仕様範囲外コード受信時に最寄りのコードへ読み替を行う模式図である。図７に示すように、風向制御のバリエーションの多い機種のリモコンで、風向制御のバリエーションの少ない機種の室内機を操作する場合、室内機のリモコン信号受信処理において、仕様範囲外のコードを受信時に、最寄りの風向制御に置き換えて制御する風向制御情報を読み替える。点線で囲まれた風向制御の多い機種でしか設定できない風向制御コードのうち、最左＋左中間５６，左中間＋中央５７、及び、中央＋最左６１は、風向制御のバリエーションの少ない機種の風向制御の５種類の内、左中間５２が、最寄りの制御となるため、左中間４２のコードに読み替えて制御を行う。同様に、中央＋右中間５８，最右＋右中間５９、および中央＋最右６２は、風向制御のバリエーションの少ない機種の風向制御の５種類の内、右中間５４が、最寄りの制御となるため、右中間５４のコードに読み替えて制御を行い、ワイド６０を受信した場合は、中央５３に置き換えて制御する。
【００１９】
最後に、図８は、室内機における風向制御情報読替処理の手順を示すフローチャートである。ステップＳ１において、リモコン信号受信が有るまで待つ。受信が有ったらステップＳ２に進み、受信データの解析を行う。解析を行った結果、風向制御情報が仕様範囲内の対応コードであった場合は、読替処理は行わず、ステップＳ９に進み、受信したデータに基づき、風向出力を行う。ステップＳ３において、風向制御情報が、正規のリモコン１では設定できない仕様範囲外のコードであった場合は、ステップＳ４に進み、左中間コードへの読替対象コードか確認する。読替対象コードの場合は、ステップＳ５に進み、左中間コードへの置換処理を行いステップＳ９へ進む。ステップＳ４において、左中間コードへの読替対象外のコードであった場合は、ステップＳ６に進み、右中間コードへの読替対象コードか確認する。読替対象コードの場合は、ステップＳ７に進み、右中間コードへの置換処理を行いステップＳ９へ進む。ステップＳ６において、対象外のコードであった場合、残りのコードはワイドとなるため、読替可能な中央コードへの置換処理を行いステップＳ９へ進み、風向出力を行う。
【００２０】
仕様範囲外のコードを受信した場合に、リモコン１から受信した運転，停止，運転状態変更等の全ての受信情報を受信し、風向制御コードのみを無効として、それまでの風向状態のままとすることで、快適性を損ねることがなく、運転，停止，運転状態変更データの受信値を反映させることができる。さらに、仕様範囲外の風向コードを最寄りの風向コードに読み替えることで、最寄りの風向制御が可能となるため、より快適な風向制御が実現できる。
【００２１】
以上、本発明の空気調和機は、リモートコントローラ送信部と、リモートコントローラ受信部と、を有すリモートコントローラと、リモートコントローラ受信部へ信号を送信する室内機送信部と、リモートコントローラ送信部からの信号を受信する室内機受信部と、室内に吹出す気流を偏向する風向板と、複数のエリアに対応して予め決められた位置に風向板を向ける風向板制御情報と、を有す室内機と、を備え、室内機受信部が受信した信号が風向板制御情報の何れかに対応する場合は、室内機受信部が受信した信号に対応した風向板制御情報に基づいて風向板を制御し、室内機受信部が受信した信号が風向板制御情報の何れにも対応しない場合は、室内機受信部が受信した信号を予め対応付けられた風向板制御情報に読み換えて風向板を制御する。本発明によれば、バリエーションの多い機種のリモートコントローラをバリエーションの少ない機種の室内機に向けて操作した時、バリエーションの少ない機種に対応する風向制御がない場合においても、風向を制御することができる。
【００２２】
また、室内機受信部が受信したリモートコントローラ送信部からの信号が風向板制御情報の何れにも対応しない場合は、室内機受信部が受信した信号が風向板を左方向に制御する信号である場合は、風向板を左方向に制御する風向板制御情報に読み換えて風向板を制御し、室内機受信部が受信した信号が風向板を右方向に制御する信号である場合は、風向板を右方向に制御する風向板制御情報に読み換えて風向板を制御する。風向制御がない場合においても、左方向又は右方向に風向を制御することができる。
【００２３】
また、室内機受信部が受信したリモートコントローラ送信部からの信号が風向板制御情報の何れにも対応しない場合は、風向板を中央方向に制御する風向板制御情報に読み換えて風向板を制御する。風向制御がない場合においても、中央方向に風向を制御することができる。
【符号の説明】
【００２４】
１  リモコン
２  室内機
１１，２１  マイコン
１２  キー入力部
１３，２３  データ編集部
１４  ＬＣＤ出力部
１５  送信出力部
２２  受信入力部
２４  空調制御
２５  風向出力
３１  風向制御切替キー入力手段
３２  風向制御設定状態表示手段
３３  送信データ作成手段
３４  リモコン信号送信手段
３５  リモコン信号受信手段
３６  受信データ解析手段
３７  風向制御情報読替手段
３８  風向出力制御手段
５１  最左
５２  左中間
５３  中央
５４  右中間
５５  最右
５６  最左＋左中間
５７  左中間＋中央
５８  中央＋右中間
５９  最右＋右中間
６０  ワイド
６１  中央＋最左
６２  中央＋最右
【図１】
2012107838.tif 000003
【図２】
2012107838.tif 000004
【図３】
2012107838.tif 000005
【図４】
2012107838.tif 000006
【図５】
2012107838.tif 000007
【図６】
2012107838.tif 000008
【図７】
2012107838.tif 000009
【図８】
2012107838.tif 000010